(57)【要約】      （修正有）【課題】容易に製造可能な発光装置およびこの発光装置を具備する照明器具を提供する。【解決手段】発光装置１は、一端側２ａから他端側２ｂに向かう方向に沿って２分割された分割体８Ａ，８Ｂが合体して形成され、一端側２ａに口金６および他端側２ｂの分割体８Ａ，８Ｂのいずれかに放熱板７がそれぞれ設けられた筐体２と、基板１７および基板１７の一面側に実装された発光素子１８を有し、基板１７の他面１７ｂ側が熱結合して放熱板７に取り付けられた発光体３と、発光素子１８を点灯するように形成され、一方の分割体８Ａに設けられ、分割体８Ａ内に充填された電気絶縁性の樹脂に固着された点灯装置４と、発光体３を覆うように筐体２の他端側２ｂに取り付けられた透光性のカバー体５と、を具備している。【選択図】図２
2016071934.tif 000002
【特許請求の範囲】
【請求項１】
一端側から他端側に向かう方向に沿って２分割された分割体が合体して形成され、一端側に口金および他端側の前記分割体のいずれかに放熱板がそれぞれ設けられた筐体と；  基板およびこの基板の一面側に実装された発光素子を有し、前記基板の他面側が熱結合して前記放熱板に取り付けられた発光体と；  回路基板およびこの回路基板の少なくとも一面側に実装された回路部品を有し、前記回路基板の一面側が前記分割体の内面と対向するように前記分割体の一方に設けられ、前記発光素子を点灯する点灯装置と；  前記一方の分割体および前記回路基板の一面側に形成される空間に、前記回路部品を覆うように設けられた電気絶縁性の樹脂と；  前記発光体を覆うように前記筐体の他端側に取り付けられた透光性のカバー体と；を具備していることを特徴とする発光装置。
【請求項２】
前記分割体は、熱伝導性および電気絶縁性を有する合成樹脂からなり、前記放熱板は、前記分割体の他方にインサート成型により設けられていることを特徴とする請求項１記載の発光装置。
【請求項３】
請求項１または２記載の発光装置と；  この発光装置の前記口金が接続されるソケットを有する器具本体と；を具備していることを特徴とする照明器具。
【発明の詳細な説明】
【技術分野】
【０００１】
本発明の実施形態は、発光素子を光源とする発光装置およびこの発光装置を配設する照明器具に関する。
【背景技術】
【０００２】
例えば、ＬＥＤ（発光ダイオード）を光源とするＬＥＤ電球（発光装置）は、基板にＬＥＤが実装された発光体（ＬＥＤモジュール）、一端側に口金を配設し他端側に発光体を取り付けている筐体、筐体内に収納した点灯装置および発光体を覆って筐体の他端側に取り付けられたカバー体（グローブ）を有して形成されている。  
【０００３】
ＬＥＤ電球は、発光体に発生した熱を効率よく放熱させるために、発光体を放熱板（ヒートシンク）上に設けている。そして、放熱板を筐体に一体的に設けて放熱性を向上しているものがある（例えば特許文献１参照。）。このＬＥＤ電球は、筐体が合成樹脂製の２分割体からなり、放熱板が第１分割体にインサート成型により設けられ、第２分割体内に点灯装置が支持されている。
【先行技術文献】
【特許文献】
【０００４】
【特許文献１】特許第５１９０１０５号公報（第４頁、第３図）
【発明の概要】
【発明が解決しようとする課題】
【０００５】
特許文献１のＬＥＤ電球は、２分割体の一方に点灯装置を収納して支持するので、点灯装置の配設、配線に手間を要し、組み立てや製造が複雑になるという欠点を有する。  
【０００６】
本実施形態は、容易に製造可能な発光装置およびこの発光装置を具備する照明器具を提供することを目的とする。
【課題を解決するための手段】
【０００７】
本実施形態の発光装置は、筐体、発光体、電気絶縁性の樹脂、点灯装置およびカバー体を有して構成される。  
【０００８】
筐体は、２分割された分割体が合体して形成されている。分割体は、筐体が一端側から他端側に向かう方向に沿って２分割されたものである。そして、筐体は、一端側に口金および他端側に放熱板がそれぞれ設けられている。放熱板は、２分割体のいずれかに設けられている。  
【０００９】
発光体は、基板およびこの基板の一面側に実装された発光素子を有してなる。そして、発光体は、基板の他面側が熱結合して放熱板に取り付けられている。  
【００１０】
点灯装置は、回路基板およびこの回路基板の少なくとも一面側に実装された回路部品を有してなり、発光素子を点灯するように形成されている。そして、点灯装置は、回路基板の一面側が分割体の内面と対向するように分割体の一方に設けられている。  
【００１１】
電気絶縁性の樹脂は、一方の分割体および回路基板の一面側に形成される空間に、回路部品を覆うように設けられている。カバー体は、透光性を有し、発光体を覆うように筐体の他端側に取り付けられている。
【発明の効果】
【００１２】
本実施形態の発光装置によれば、放熱板および点灯装置が設けられた２分割体を合体して筐体を形成し、放熱板に発光体を取り付けて、筐体の一端側に口金および他端側にカバー体をそれぞれ取り付けることにより組み立てられるので、容易に製造できる。
【図面の簡単な説明】
【００１３】
【図１】本発明の第１の実施形態を示す発光装置の概略側面図である。
【図２】同上、発光装置の概略側断面図である。
【図３】同上、分解された発光装置の概略側断面図である。
【図４】同上、発光装置のカバー体を取り外した状態の概略上面図である。
【図５】本発明の第２の実施形態を示す照明器具の一部切り欠き概略側面図である。
【発明を実施するための形態】
【００１４】
以下、本発明の一実施の形態について、図面を参照して説明する。まず、本発明の第１の実施形態について説明する。  
【００１５】
本実施形態の発光装置１は、例えば電球用ソケットに着脱されるＬＥＤ電球であり、図２に示すように、筐体２、発光体３、点灯装置４およびカバー体５を有して構成されている。  
【００１６】
筐体２は、一端側２ａに口金６が設けられ、他端側２ｂに放熱板７が設けられている。そして、筐体２は、分割体８Ａ，８Ｂが合体して形成されている。分割体８Ａ，８Ｂは、筐体２の中心軸上で、筐体２が一端側２ａから他端側２ｂに向かう方向に沿って２分割されたものである。分割体８Ａ，８Ｂは、高熱伝導性および電気絶縁性を有する合成樹脂例えばポリブチレンテレフタレート（ＰＢＴ）樹脂からなり、合体したときに、一端側２ａから他端側２ｂに緩やかに径大する略逆円錐台の筒状となるように形成されている。分割体８Ａ，８Ｂの一端側２ａから他端側２ｂに沿うそれぞれの端面には、図４に示すように、嵌合凸部９および嵌合凹部１０が設けられている。嵌合凸部９は、長方形の凸条に形成され、嵌合凹部１０は、長方形の凹条に形成されている。分割体８Ａの嵌合凸部９を分割体８Ｂの嵌合凹部１０に嵌め込むことにより、分割体８Ａ，８Ｂ同士が合体している。  
【００１７】
そして、図２に示すように、一方の分割体８Ａに点灯装置４が設けられ、他方の分割体８Ｂに放熱板７が設けられている。口金６は、合体した分割体８Ａ，８Ｂに設けられている。分割体８Ａ，８Ｂ（筐体２）の一端側２ａの外面には、凸条１１が螺旋状に形成されており、この凸条１１に口金６が螺合して取り付けられている。口金６は、分割体８Ａ，８Ｂを挟持している。  
【００１８】
口金６は、例えばＥ２６形であり、凸条１１に螺合されてかしめられて固定される雄ねじ部１２、この雄ねじ部１２の先端側に設けられる絶縁部１３およびこの絶縁部１３の頂点に設けられる頂上接続部１４を有して構成されている。本実施形態では、雄ねじ部１２は、例えばアルミニウム（Ａｌ）からなり、底部１２ａを有する略円筒状に形成され、頂上接続部１４は、例えば真鍮からなり、凸条の外面１４ａを有する略円柱状に形成されている。絶縁部１３は、例えばガラスまたはセラミックからなり、円錐状に形成されて、雄ねじ部１２の底部１２ａに接着されて取り付けられ、頂点に頂上接続部１４を設けている。  
【００１９】
放熱板７は、高熱伝導率を有する比較的肉厚の金属板例えばアルミニウム板からなり、他方の分割体８Ｂにインサート成型により設けられ、筐体２の他端側２ｂの開口を略塞ぐように設けられている。すなわち、放熱板７は、筐体２の他端側２ｂの開口において、図４に示すように、円盤状に形成されている。そして、放熱板７の一方の分割体８Ａ側には、略長方形の切り欠き部１５が形成されている。また、本実施形態では、放熱板７は、図２に示すように、その上面７ａが筐体２の他端側２ｂの端面２ｃと同一面状となるように設けられている。そして、分割体８Ａには、その内面８Ａｂから突出して放熱板７の分割体８Ａ側の端部を支持（載置）する支持部１６が設けられている。支持部１６は、放熱板７の切り欠き部１５側を除くようにして、分割体８Ａの内面８Ａｂの周回方向に沿って形成されている。  
【００２０】
なお、放熱板７は、その上面７ａが筐体２の端面２ｃよりも筐体２の外側または内側となるように設けられてもよい。また、放熱板７は、一方の分割体８Ａに設けられていてもよい。  
【００２１】
発光体３は、基板１７および発光素子としての複数個のＬＥＤ１８を有して形成されている。基板１７は、高熱伝導率を有する金属板、例えば厚さ１．０ｍｍのアルミニウム板からなり、図４に示すように、円盤状に形成されている。そして、基板１７は、その一面１７ａに不図示の絶縁層が形成され、この絶縁層上に複数個のＬＥＤ１８が実装されている。本実施形態では、１個のＬＥＤ１８が基板１７の中心１７ｃに設けられ、残余のＬＥＤ１８が基板１７の中心１７ｃに対して同心円状となり、基板１７の周方向に沿ってほぼ等間隔となるように設けられている。  
【００２２】
そして、複数個のＬＥＤ１８は、絶縁層上に形成された不図示の配線パターンにより直列接続されて、絶縁層上に設けられたコネクタ１９に接続されている。直列接続されたＬＥＤ１８は、コネクタ１９に電気接続されたコネクタ２０付きの出力線２１により、点灯装置４に接続されている。ＬＥＤ１８は、パッケージ品であり、例えば白色光を放射するものが用いられている。  
【００２３】
ＬＥＤ１８およびコネクタ１９の周りの絶縁層上には、配線パターン等を絶縁する例えば白色レジスト２２が塗布されている。そして、基板１７の外周縁１７ｄには、中心１７ｃに対して等間隔、本実施形態では１２０°間隔で、複数個（３個）の切り欠き部２３が形成されている。基板１７（発光体３）は、切り欠き部２３において、ねじ２４により放熱板７に固定されている。これにより、発光体３は、基板１７の他面１７ｂ（図２に示す。）側が放熱板７に熱結合して取り付けられている。  
【００２４】
点灯装置４は、図３に示すように、回路基板２５およびこの回路基板２５に実装された多種類の回路部品２６を備えて形成されている。回路基板２５は、ガラスエポキシ材などの合成樹脂板からなり、分割体８Ａの一端側２ａから他端側２ｂに亘る長形に形成されて、分割体８Ａの一端側２ａから他端側２ｂに沿う方向に配設されている。分割体８Ａの内面８Ａｂには、一端側２ａから他端側２ｂに亘って、互いに正対する一対の基板取付け溝２７，２７（図３中、一方のみを示す。）が直線状に設けられている。この一対の基板取付け溝２７，２７に回路基板２５の幅方向の両端部が取り付けられている。回路基板２５は、一端側２５ｃから他端側２５ｄに向かうにつれ段階的に幅広に形成され、回路部品２６の実装面積を可能な限り大きくしている。  
【００２５】
回路基板２５は、本実施形態では、一面２５ａに多数の回路部品２６が実装され、他面２５ｂに小型の面実装部品２６ａが実装されている。回路部品２６は、トランス、コンデンサおよび抵抗などの多数の部品からなっている。そして、回路基板２５の一端側２５ｃには、不図示の入力端子、他端側２５ｄには、不図示の出力端子が設けられている。入力端子には、入力線２８，２８が接続され、出力端子には、出力線２１，２１（図３中、一方のみを示す。）が接続されている。点灯装置４は、回路部品２６および不図示の配線パターンなどにより、発光体３のＬＥＤ１８を点灯する点灯回路を形成している。  
【００２６】
そして、少なくとも回路基板２５の一面２５ａ側の回路部品２６は、電気絶縁性の樹脂２９により埋められている。すなわち、点灯装置４は、回路基板２５が基板取付け溝２７，２７に取り付けられた後、分割体８Ａ内に充填された樹脂２９に埋設されている。樹脂２９は、回路基板２５と分割体８Ａの間の略全域に設けられている。点灯装置４は、樹脂２９の固化により樹脂２９に固着され、分割体８Ａに固定されている。樹脂２９は、電気絶縁性に加えて高熱伝導性を有するものが用いられ、例えばシリコン樹脂が用いられている。  
【００２７】
点灯装置４の入力線２８，２８および出力線２１，２１は、樹脂２９から導出している。図２に示すように、入力線２８，２８は、口金６の頂上接続部１４および雄ねじ部１２にそれぞれ接続されている。また、コネクタ２０付きの出力線２１，２１は、放熱板７の切り欠き部１５を通過して発光体３側に導出され、コネクタ２０が発光体３のコネクタ１９に接続されている。  
【００２８】
カバー体５は、発光体３を覆うように筐体２の他端側２ｂに取り付けられている。カバー体５は、透光性を有する樹脂材料、例えばポリカーボネート（ＰＣ）樹脂からなっている。カバー体５は、一端側５ａが開口され他端側５ｂが閉塞された略球面状に形成されている。カバー体５の他端側５ｂは、頂部３０となっている。  
【００２９】
そして、カバー体５は、一端側５ａに係止爪３１が設けられており、この係止爪３１が筐体２の他端側２ｂの係止溝３２に係止して筐体２に取り付けられている。筐体２の端面２ｃには、図４に示すように、係止爪３１が嵌め込まれる切り欠き部３３が形成されている。切り欠き部３３は、本実施形態では、周回方向に等間隔に４個が形成されている。また、係止爪３１は、カバー体５の一端側５ａの開口において、周回方向に等間隔に４個が形成されている。カバー体５は、係止爪３１が筐体２の切り欠き部３３に嵌め込まれた後、回動されることにより、係止溝３２に係止されている。このとき、カバー体５は
、分割体８Ａ，８Ｂを周回に亘って挟持している。  
【００３０】
そして、発光装置１は、図３に示すように、点灯装置４が設けられた分割体８Ａ、放熱板７が設けられた分割体８Ｂ、発光体３、カバー体５および口金６を組み立てて製造される。  
【００３１】
まず、分割体８Ａの嵌合凸部９および分割体８Ｂの嵌合凹部１０を正対させて合わせる。このとき、放熱板７の下面７ｂを分割体８Ａの支持部１６に載置させるとともに、点灯装置４のコネクタ２０付きの出力線２１，２１を放熱板７の切り欠き部１５を通して上面７ａ側に導出させる。そして、分割体８Ａ，８Ｂを強く押圧して、嵌合凸部９を嵌合凹部１０に嵌め込む。これにより、分割体８Ａ，８Ｂが結合して筐体２が形成される。放熱板７は、その分割体８Ａ側の端部が支持部１６に載置（支持）されるので、筐体２の他端側２ｂに安定して取り付けられる。なお、分割体８Ａ，８Ｂの内部に放熱板７と熱的に結合するように、例えばプレス成型によりなる金属体をさらに内蔵させてもよい。この場合、発光体３で発生する熱をさらに効率よく放熱することができる。  
【００３２】
そして、図４に示すように、発光体３を放熱板７の上面７ａにねじ２４により取り付けて、発光体３のコネクタ１９に点灯装置４の出力線２１，２１のコネクタ２０を接続する。これにより、発光体３は、筐体２の他端側２ｂに取り付けられるとともに、点灯装置４の出力側に接続される。  
【００３３】
この後、図３において、点灯装置４の一方の入力線２８を口金６の絶縁部１３および頂上接続部１４に形成された貫通孔３４に通し、他方の入力線２８を筐体２の一端側２ａの外面に沿わせて、口金６を筐体２の凸条１１に完全に螺合する。そして、一方の入力線２８を頂上接続部１４に溶接し、他方の入力線２８を雄ねじ部１２の開口端１２ｂ側で雄ねじ部１２に溶接する。これにより、口金６が筐体２の一端側２ａに取り付けられ、点灯装置４の入力線２８，２８が口金６に電気接続される。  
【００３４】
そして、カバー体５の係止爪３１を筐体２の端面２ｃに形成された切り欠き部３３に位置させて、カバー体５を筐体２側に押し込んで回動させる。これにより、カバー体５は、係止爪３１が筐体２の係止溝３２に係止して、発光体３を覆って筐体２の他端側２ｂに取り付けられる。  
【００３５】
こうして、発光装置１が製造される。発光装置１は、主として、分割体８Ａ、分割体８Ｂ、発光体３、カバー体５および口金６の組み立てと、点灯装置４の出力線２１，２１の発光体３への接続作業および入力線２８，２８の口金６への接続作業により製造されるので、省力化および製造工数の減少が図られて容易に製造される。これにより、発光装置１は、安価に製造される。そして、発光装置１は、図１に示すように、筐体２の外面に分割体８Ａ，８Ａが合体した境界部３５が形成される。この境界部３５は、発光装置１のデザインとして機能する。  
【００３６】
次に、本発明の第１の実施形態の作用について述べる。  
【００３７】
発光装置（ＬＥＤ電球）１は、照明器具の電球用ソケットに装着される。そして、口金６に外部電源の交流電圧が印加すると、点灯装置４が動作し、点灯装置４から発光体２の複数個のＬＥＤ１８に所定の定電流（電力）が供給される。複数個のＬＥＤ１８は、点灯して、発熱するとともに白色光を放射する。白色光は、透光性のカバー体５を透過して外部空間に放射される。  
【００３８】
そして、ＬＥＤ１８に発生した熱は、主として、基板１７から放熱板７を経由して他方の分割体８Ｂに熱伝導されて、分割体８Ｂの外面から外部空間に放出される。また、ＬＥＤ１８に発生した一部の熱は、カバー体５の内部空間に放出されカバー体５の外面から外部空間に放出される。そして、点灯装置４に発生した熱は、主として、点灯装置４を固着している電気絶縁性の樹脂２９に熱伝導され、樹脂２９から分割体８Ｂに熱伝導され、分割体８Ａの外面から外部空間に放出される。こうして、発熱体３の温度上昇が抑制されて、ＬＥＤ１８の発光効率の低下が防止され、ＬＥＤ１８の長寿命化が図られるとともに、点灯装置４の温度上昇が抑制されて長寿命化が図られる。  
【００３９】
本実施形態の発光装置１によれば、放熱板７および点灯装置４が設けられた２分割体８Ａ，８Ｂを合体して筐体２を形成し、放熱板７に発光体３を取り付け、筐体２の一端側２ａに口金６および他端側２ｂにカバー体５をそれぞれ取り付けることにより組み立てられるので、省力化および製造工数の減少を図ることができ、容易に製造することができて安価にできるという効果を有する。  
【００４０】
また、分割体８Ａ，８Ｂは、熱伝導性および電気絶縁性を有する合成樹脂例えばＰＢＴ樹脂からなり、放熱板７は、分割体８Ｂにインサート成型により設けられるので、部品価格の低減、省力化および製造工数の減少を図ることができて、さらに安価に製造できるという効果を有する。  
【００４１】
なお、本実施形態において、分割体８Ａ，８Ｂは、高熱伝導性を有する金属例えばアルミニウム（Ａｌ）により形成し、分割体８Ｂと放熱板７を一体に形成してもよい。この場合、口金６は、絶縁材等を介して筐体２の一端側２ａに取り付けられる。また、筐体２は、滑らかに径大する略円錐台の筒状に限らず、円筒や角筒などの筒状であってもよい。  
【００４２】
また、発光体３は、発光素子としてパッケージ品のＬＥＤ１８を用いたが、これに限らず、ＬＥＤチップを用いたＣＯＢ方式により形成してもよい。また、有機エレクトロルミネセンス（ＥＬ）素子を用いてもよい。  
【００４３】
また、口金６は、Ｅ形口金を用いたが、これに限らず、例えば差し込み形の口金であってもよい。また、カバー体５は、略球面状でなくてもよく、他端側５ｂが閉塞され一端側５ａが開口されていればその形状が限定されるものでなく、例えば椀状や正方形の箱状であってもよい。  
【００４４】
次に、本発明の第２の実施形態について説明する。  
【００４５】
本実施形態の照明器具４１は、図５に示すように構成される。なお、図１と同一部分には、同一符号を付して説明は省略する。  
【００４６】
照明器具４１は、机や棚などの設置台４２に設置される置灯であり、外形が有底の円筒状である器具本体４３に図１に示す発光装置（ＬＥＤ電球）１の口金６（図示しない。）が取り付けられるソケットとしての電球用ソケット４４が配設されている。器具本体４３は、灰皿状に形成された取付け台４５に不図示のねじにより取り付けられている。そして、取付け台４５は、そのフランジ部４６が不図示のねじにより設置台４２に取り付けられている。すなわち、取付け台４５は、設置台４２に固定されている。  
【００４７】
そして、器具本体４３は、先端にプラグ４７を有する電源コード４８を接続している。プラグ４７は、配線コード４９のソケット５０に差し込まれて接続されている。これにより、電源コード４８等を介して電球用ソケット４４に外部電源が供給される。そして、発光装置１は、電球用ソケット４４に装着されている。発光装置１は、図示しない壁スイッチのオンオフ操作に応じて点灯される。そして、カバー体５から放射された白色光が周囲の外部空間を照明する。  
【００４８】
本実施形態の照明器具４１よれば、安価に形成可能な発光装置１を具備するので、ランニングコストを低減できるという効果を有する。  
【００４９】
なお、本実施形態の照明器具は、埋め込み形、吊り下げ形や直付け形の照明器具であってもよい。  
【００５０】
また、本発明の上述した実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれるものである。
【符号の説明】
【００５１】
１…発光装置としてのＬＥＤ電球、  ２…筐体、  ３…発光体、  ４…点灯装置、  ５…カバー体、  ６…口金、  ７…放熱板、  ８Ａ，８Ｂ…分割体、  １７…基板、  １８…発光素子としてのＬＥＤ、  ２９…電気絶縁性の樹脂、  ４１…照明器具、  ４３…器具本体、  ４４…ソケットとしての電球用ソケット
【図１】
2016071934.tif 000003
【図２】
2016071934.tif 000004
【図３】
2016071934.tif 000005
【図４】
2016071934.tif 000006
【図５】
2016071934.tif 000007